(57)【要約】  【課題】常時使用している度付きの眼鏡やサングラスに装着可能で、視界を妨げず、軽く、違和感がなく、花粉や埃から目を効果的に保護することができ、かつ、テンプルを折り畳んで眼鏡ケースに収納することも可能な、安価な眼鏡用防塵具を提供することを目的とする。  【解決手段】眼鏡のテンプル５の内側に位置し、左右の眼鏡フレーム４の周りを包み込み、上記眼鏡フレーム４の後方に位置する顔との隙間をほとんど無くす様な左右一対の円筒状の形状をパッド７の位置で切断して平面に展開し、さらに、上記眼鏡フレーム４と上記テンプル５の接続部分８を回避するための切り込み部３をつけた左右２枚のプラスチックフィルム片１の各端部に、両面粘着テープ２を貼り付けるか、または、粘着加工を施す。【選択図】  図１
2010262110.tif 000002
【特許請求の範囲】
【請求項１】
眼鏡のテンプルの内側に位置し、左右の眼鏡フレームの周りを包み込み、上記眼鏡フレームの後方に位置する顔との隙間をほとんど無くす様な左右一対の円筒状の形状をパッドの位置で切断して平面に展開し、さらに、上記眼鏡フレームと上記テンプルの接続部分を回避するための切り込み部を設けた左右２枚のプラスチックフィルム片の各端部に、両面粘着テープを貼り付けるか、または、粘着加工を施したことを特徴とする眼鏡用防塵具。
【請求項２】
上記プラスチックフィルム片が、眼鏡と顔の形状に合わせてハサミで切りとれて微調整が可能であり、かつ、上記テンプルを折り畳む際に、一緒に曲がり、上記テンプルを戻した時に復元が可能であることを特徴とする請求項１記載の眼鏡用防塵具。
【請求項３】
上記プラスチックフィルム片と上記眼鏡フレームを接着するための手段として、着脱可能な両面粘着テープあるいは粘着加工を用いたことを特徴とする請求項１乃至請求項２のいずれかに記載の眼鏡用防塵具。
【請求項４】
上記プラスチックフィルム片が、無色透明なフィルム、または、着色フィルム、または、ＵＶカット機能を含むフィルムを用いたものであることを特徴とする請求項１乃至請求項３のいずれかに記載の眼鏡用防塵具。
【請求項５】
上記プラスチックフィルム片が、厚さ２０〜１５０μmであることを特徴とする請求項１乃至請求項４のいずれかに記載の眼鏡用防塵具。
【請求項６】
上記プラスチックフィルム片の材質が、ポリエチレンテレフタレート又はポリプロピレンであることを特徴とする請求項１乃至請求項５のいずれかに記載の眼鏡用防塵具。
【発明の詳細な説明】
【技術分野】
【０００１】
本発明は、度付きの眼鏡又はサングラスに対して容易に着脱可能で、花粉・粉塵・埃あるいは風から目を保護することが可能な眼鏡用防塵具に関する。
【背景技術】
【０００２】
従来から、花粉の他、粉塵、風圧等から目を保護するべく、種々の防塵眼鏡が提案されている。たとえば、従来から提案され実用化されている眼鏡型の防塵具はそれ自体で眼鏡として装着し、顔部に固定できるように、耳掛け部を有するテンプルを備えた構造である。しかし、度付きの眼鏡を使用している時に花粉等から目を保護するために、この防塵眼鏡を上からかけるとテンプルが二重になり違和感が生じるとともに顔との間の隙間が大きくなり防塵効果が薄れてしまう問題がある。
【０００３】
常時使用している度付き眼鏡を外して防塵眼鏡を装着すれば、違和感および防塵効果の上で問題ないが、度か付いていないため、視力低下の問題があり実用的ではない。また、この防塵眼鏡を度付きにする事も可能であるが、大変コストが掛かってしまうため、常時使用している度付き眼鏡またはサングラスに対して着脱自在に取り付けが可能な安価な眼鏡用防塵具が望まれていた。
【０００４】
ここで、眼鏡に対して着脱自在に取り付けが可能な構造を有するものとしては、収納時に眼鏡のテンプルを折り曲げることができる構造となっている特許文献１、使用している度付き眼鏡に装着することができる構造となっている特許文献２、８つの突起を有するプラスチックフィルムを使用し、度付き眼鏡に装着することができる構造となっている特許文献３等が開示されている。
【先行技術文献】
【特許文献】
【０００５】
【特許文献１】特開2005-128463号公報
【特許文献２】特開2005-181921号公報
【特許文献３】特開2004-341124号公報
【発明の概要】
【発明が解決しようとする課題】
【０００６】
しかしながら、特許文献１に記載のものは、使用している度付きの眼鏡に装着できるものではなく、テンプルを折り畳んだ時にゴーグル部分に当らないようにすると、顔との隙間を無くすほどの大きな保護具にすることはできない。また、安価に作製できるものでもない。
【０００７】
また、特許文献２に記載のものは、弾性部材でできた眼鏡レンズの直径よりも小さい径の一対の円筒形状をしているが、弾性部材が顔に触れるため違和感はぬぐえず、また、眼鏡レンズよりも径が小さいため、視界が狭まる事も避けられない。しかも斯かる防塵具は、直接、眼鏡レンズに接触するため、眼鏡レンズを汚染したり、傷付けたりする可能性も否定できない。
【０００８】
特許文献３に記載のものは、装着可能な眼鏡がリムを開放させるためのネジが付いたフルリム又はハーフリムに限定され、ネジを緩めてプラスチックフィルムの突起部を嵌め込みネジを締めることで固定するため手間が掛かり、殆ど全ての眼鏡に装着できるものではなく、また、容易に着脱できるものではない。
【０００９】
以上、述べたように、従来の技術では、常時使用している度付きの眼鏡やサングラスに容易に着脱可能で、視界を妨げず、直接顔に触れないために違和感がなく、花粉や埃から目を効果的に保護することができ、かつ、テンプルを折り畳んで眼鏡ケースに収納することが可能な、安価な眼鏡用防塵具は存在しなかった。
【００１０】
本発明は、上記の課題を解決するためになされたもので、常時使用している度付きの眼鏡やサングラスに容易に着脱可能で、視界を妨げず、軽く、違和感がなく、花粉や埃から目を効果的に保護することができ、かつ、テンプルを折り畳んで眼鏡ケースに収納することが可能な、安価な眼鏡用防塵具を提供することを目的とする。
【課題を解決するための手段】
【００１１】
本発明の目的を達成するために、本発明は特許請求の範囲に記載のような構成とするものである。
【００１２】
すなわち、本発明の眼鏡用防塵具は、眼鏡のテンプルの内側に位置し、左右の眼鏡フレームの周りを包み込み、上記眼鏡フレームの後方に位置する顔との隙間をほとんど無くす様な左右一対の円筒状の形状をパッドの位置で切断して平面に展開し、さらに、上記眼鏡フレームと上記テンプルの接続部分を回避するための切り込み部を設けた左右２枚のプラスチックフィルム片の各端部に、両面粘着テープを貼り付けるか、または、粘着加工を施す。
【００１３】
この場合、上記プラスチックフィルム片は、眼鏡と顔の形状に合わせてハサミで切りとれて微調整が可能で、かつ、上記テンプルを折り畳む際に、一緒に折れ曲がり、上記テンプルを戻した時に復元が可能である。
【００１４】
また、これらの場合、上記プラスチックフィルム片と上記眼鏡フレームを接着するための手段として、着脱可能な両面粘着テープあるいは粘着加工を用いる。
【００１５】
また、これらの場合、上記プラスチックフィルム片を、無色透明なフィルム、または、着色フィルム、または、ＵＶカット機能を含むフィルムを用いたものとする。
【００１６】
また、これらの場合、上記プラスチックフィルム片の厚さを２０〜１５０μｍとする。
【００１７】
また、これらの場合、上記ブラスチックフィルム片の材質をポリエチレンテレフタレート又はポリプロピレンとする。
【発明の効果】
【００１８】
以上、述べたように、本発明の眼鏡用防塵具は、眼鏡のテンプルの内側に位置し、左右の眼鏡フレームの周りを包み込み、上記眼鏡フレームの後方に位置する顔との隙間をほとんど無くす様な左右一対の円筒状の形状をパッドの位置で切断して平面に展開し、さらに、上記眼鏡フレームと上記テンプルの接続部分を回避するための切り込み部を設けた左右２枚のプラスチックフィルム片の各端部に、両面粘着テープを貼り付けるか、または、粘着加工を施してあるから、常時使用している度付きの眼鏡やサングラスに容易に装着可能で、視界が広く、軽く、直接顔に触れないために違和感がなく花粉や埃から目を効果的に保護することができる。
【００１９】
この場合、上記プラスチックフィルム片が、眼鏡と顔の形状に合わせてハサミで切りとれて微調整が可能で、かつ、眼鏡のテンプルを折り畳む際に、一緒に曲がり、上記テンプルを戻した時に復元可能であるから、花粉や埃から目を効果的に保護することができる。また、プラスチックフィルムが柔軟なため、テンプルを折り畳んで眼鏡ケースに収納する事も可能である。
【００２０】
また、これらの場合、上記プラスチックフィルム片と上記眼鏡フレームを接着するための手段として、着脱可能な両面粘着テープあるいは粘着加工を用いているから、複数回の脱着が可能であり、しかも、安価に提供することができる。
【００２１】
また、これらの場合、上記プラスチックフィルム片が、無色透明なフィルムを用いているから、防塵具を装着している事が周囲から見ても目立ちにくい。また、上記プラスチックフィルム片が、透明な着色フィルムを用いているから、側面から入る光を低減する事が可能である。また、上記プラスチックフィルム片が、ＵＶカット機能を含むフィルムを用いているから、側面からの紫外線の進入を阻害する事ができる。
【００２２】
また、これらの場合、上記プラスチックフィルム片の厚さが２０〜１５０μｍであるから、眼鏡に装着した後に顔に触れない程度のわずかな隙間ができるようにハサミで切断し微調整が可能である。また、眼鏡のテンプルを折り畳む際に一緒に折れ曲がり眼鏡ケースに収納する事もでき、さらに、上記テンプルを戻した際には元の形状に復元する。
【００２３】
また、これらの場合、上記プラスチックフィルム片の材質がポリエチレンテレフタレート又はポリプロピレンであるから、眼鏡に装着した後に顔に触れない程度のわずかな隙間ができるようにハサミで切断し微調整が可能である。また、眼鏡のテンプルを折り畳む際に一緒に折れ曲がり眼鏡ケースに収納する事もでき、さらに、上記テンプルを戻した際には元の形状に復元する。
【図面の簡単な説明】
【００２４】
【図１】本発明に係わる眼鏡用防塵具の一例を示す概略構成図である。
【図２】本発明に係わる眼鏡用防塵具を眼鏡に装着した外観斜視図である。
【図３】本発明に係わる眼鏡用防塵具を眼鏡に装着した部分側面図である。
【図４】本発明に係わる眼鏡用防塵具を眼鏡に装着した外観上面図である。
【図５】本発明に係わる眼鏡用防塵具を眼鏡に装着した別の外観上面図である。
【発明を実施するための形態】
【００２５】
常時使用している度付き眼鏡やサングラスに対して容易に着脱可能で、花粉などから目を保護することができる安価な眼鏡用防塵具の提供を目的として、本発明者は鋭意検討を重ねた結果、下記の眼鏡用防塵具を開発することができた。
【００２６】
すなわち、本発明の眼鏡用防塵具は、眼鏡に対して取り付けられた状態において、眼鏡の左右のテンプルの内側に位置し、左右２枚の眼鏡フレーム（ふちなし眼鏡の場合は、レンズ側面）の周りを包み込み、上記眼鏡フレームの後方に位置する顔との隙間をほとんど無くす様な左右一対の円筒状の形状を持つ２枚の薄いプラスチックフィルム片で形成されており、上記プラスチックフィルム片は幅の狭い両面粘着テープ、または、粘着加工で上記眼鏡フレーム（ふちなし眼鏡の場合は、レンズ側面）の周りに貼り付けられている。
【００２７】
上記プラスチックフィルム片は、上記眼鏡フレームと後方に位置する顔との隙間をほとんど無くす様な左右一対の円筒状の形状をパッドの部分で切断し平面に展開した形に切り抜いたものである。
【００２８】
また、上記プラスチックフィルム片は、上記テンプルの内側から眼鏡フレームの周りに再剥離可能な両面粘着テープで貼り付け、円筒状の形状を形成するために、上記眼鏡フレームと上記テンプルの接続部分(智)を回避するための切り込み部を付けた形状のものである。
【００２９】
然るに、眼鏡にはいろいろな形状があり、さらに顔の形にも個人差があって一定ではないため、本発明の眼鏡用防塵具に用いるプラスチックフィルム片は、眼鏡に装着した後に顔に触れない程度のわずかな隙間ができるようにハサミで切り微調整が可能なものでなければならない。この調整により本発明の眼鏡用防塵具は、顔にほとんど直接触れないため違和感はまったくなくなる。
【００３０】
また、上記プラスチックフィルム片は、眼鏡のテンプルを折り畳む際に一緒に折れ曲がり眼鏡ケースに収納する事もでき、さらに上記テンプルを戻した際には元の形状に復元するものであればさらに好適である。
【００３１】
以上のような性質を持つプラスチックフィルムの材質としては、例えば、ポリエチレンテレフタレート、ポリプロピレン、ポリエチレン、ポリオレフィン、ポリ塩化ビニル、ポリ塩化ビニリデン、ポリ酢酸ビニル、ポリビニルアルコール、ポリスチレン、ポリカーボネート、ポリアミド、ポリイミド、ポリフルオルエチレン、ポリフェニレンサルファイド、合成ゴム、セルロース系樹脂、ポリメタクリル酸エステル、アクリル酸誘導体等が挙げられるが、なかでも、ポリエチレンテレフタレートとポリプロピレンが好適である。
【００３２】
また、上記プラスチックフィルムの厚さとしては、プラスチックフィルムの硬さにもよるが、概１０〜２００μｍ、より好ましくは、２０〜１５０μｍの範囲であることが望ましい。
【００３３】
また、プラスチックフィルムに限らず、紙や布でも使用可能である。ただし、紙の場合は、安価ではあるが、透明性がなく強度にも問題がある。また、布の場合は、顔に接触した場合の違和感は少ないが、透明性、復元性に問題がある。
【００３４】
本発明の眼鏡用防塵具は、眼鏡レンズの外側に位置する眼鏡フレームの周りに両面粘着テープで貼り付けるため、眼鏡レンズの視界を阻害する事はなく、また、薄いプラスチックフィルム片でできているため、軽く、長時間使用していても疲れることはない。本発明の眼鏡用防塵具を用いれば、花粉や埃から効果的に目を保護する事ができ、冬場における眼の乾燥防止を図ることも可能である。また、医療現場や実験室では保護眼鏡としての使用も可能である。
【００３５】
本発明の眼鏡用防塵具のプラスチックフィルム片に無色透明なプラスチックフィルムを用いれば、一見、眼鏡用防塵具を装着していないかのような、目立ち難いものとなる。また、上記プラスチックフィルム片に着色したプラスチックフィルムを用いれば、側面から入る光を低減する事も可能であり、サングラスの色に合わせてファッション性を高める事も可能となる。また、上記プラスチックフィルム片に紫外線吸収加工を施したプラスチックフィルムを用いれば、通常の眼鏡の側面から入る紫外線を効果的に阻害する事ができる。
【００３６】
本発明の眼鏡用防塵具のプラスチックフィルム片を眼鏡フレームの周りに貼るための両面粘着テープは、１〜８ｍｍ幅の再剥離性のものが好適である。また、両面粘着テープの支持体は、不織布のものでも良いが、透明のフィルムを支持体とした両面粘着テープを用いれば、眼鏡フレームに貼り付けた部分も目立ち難くなり、さらに好適である。
【００３７】
また、両面粘着テープを用いずに、上記眼鏡用防塵具のプラスチックフィルム片の各端部に粘着加工を施しても本発明の目的を達する事ができる。
【００３８】
本発明の眼鏡用防塵具は、上記再剥離性の両面粘着テープを貼り付けるか、または、粘着加工を施しているため、眼鏡フレームに対し複数回着脱可能である。また、ファッション性を高めた眼鏡フレームのない眼鏡も、その眼鏡レンズの周りに貼ることにより目的を果たせるものである。
【００３９】
次に、本発明の眼鏡用防塵具について、図を用いて具体的に説明する。
【００４０】
本発明の眼鏡用防塵具は、左右一対からなり、プラスチックフィルム片１には、眼鏡フレーム４とテンプル５の接続部分８を回避するための切り込み部３が設けられており、左右２枚のプラスチックフィルム片１の各端部に２ｍｍ幅の再剥離性の両面粘着テープ２をそれぞれ２ヶ所に貼り付けてある。（図１、図２参照）
眼鏡用防塵具の眼鏡への装着は、テンプル５の内側に位置する眼鏡フレーム４とテンプル５の接続部分８にプラスチックフィルム片１の切り込み部３を入れ込み、次いで眼鏡フレーム４のふちに両面粘着テープ２で眼鏡フレーム４を包み込むように円筒状に貼る。眼鏡フレーム４とブリッジ９およびパッド７の接続部分が上記プラスチックフィルム片１に当る場合は、その部分を回避するように、プラスチックフィルム片１をハサミで切断して調製し、眼鏡用防塵具の装着が完成する。また、テンプル５の幅が広い場合は、その幅に合わせてプラスチックフィルム片１の切り込み部３をハサミで切断して広げ、調整すると良い。（図１〜図３参照）
以上で、本発明の眼鏡用防塵具が使用可能となる。この時点で実際に眼鏡をかけて、プラスチックフィルム片１が顔に触れ違和感があるようであれば、鏡を見て顔に触れている部分を確認し、眼鏡を外してプラスチックフィルム片１をハサミで切断し微調整する。
【００４１】
また、本発明の眼鏡用防塵具に使用するプラスチックフィルム片１は、図４に示すように、眼鏡のテンプル５を折り畳む際に、テンプル５に押されて内側に変形して一緒に折れ曲がり、眼鏡ケースに収納することが可能になる。また、図５に示すように、折り畳んだテンプル５を元の位置に戻すと、プラスチックフィルム片１も復元して元の位置に戻る。
【実施例１】
【００４２】
厚さ20μmの無色透明なポリエチレンテレフタレートフィルムを用意し、これから、一辺が眼鏡フレームの周囲の長さに等しく、他辺がその1/2の長さのプラスチックフィルム片２枚をハサミで切り取った。
【００４３】
次に、切り取った２枚のプラスチックフィルム片の各端部を左右２枚の眼鏡フレームのふちに合わせて、眼鏡フレームの周囲を包み込み、円筒状にした。次に、眼鏡フレームとその後方に位置する顔との隙間を殆ど無くすように、円筒状のプラスチックフィルム片をハサミで切り抜いた。次に、左右２枚のプラスチックフィルム片に眼鏡フレームとテンプルの接続部分を回避するための切り込み部を設け、さらに、切り込み部を除く上記プラスチックフィルム片の各端部に幅2mmのアクリル系両面粘着テープを貼り付け、眼鏡用防塵具を作製した。
【００４４】
眼鏡用防塵具の眼鏡への装着は、テンプルの内側に位置する眼鏡フレームとテンプルの接続部分にプラスチックフィルム片の切り込み部を入れ込み、次いで眼鏡フレームのふちに両面粘着テープで眼鏡フレームを包み込むように、プラスチックフィルム片を円筒状に貼り付けた。眼鏡フレームとブリッジおよびパッドの接続部分がプラスチックフィルム片に当る場合は、その部分を回避するように、プラスチックフィルム片をハサミで切断して調製し、眼鏡用防塵具の装着が完成した。
【００４５】
この眼鏡用防塵具は、防塵具を装着している事が周囲から見ても目立ちにくく、また、視界が広く、軽く、直接顔に触れないために違和感がなく花粉や埃から目を効果的に保護することができた。また、眼鏡のテンプルを折り畳む際に一緒に折れ曲がり眼鏡ケースに収納する事もでき、さらに、上記テンプルを戻した際には元の形状に復元した。
【実施例２】
【００４６】
厚さ２０μmの無色透明のポリエチレンテレフタレートフィルムの替わりに厚さ１５０μmの無色透明のポリプロピレンフィルムを使用して、実施例１と同様に眼鏡用防塵具を作製した。この眼鏡用防塵具は、防塵具を装着している事が周囲から見ても目立ちにくく、また、視界が広く、軽く、直接顔に触れないために違和感がなく花粉や埃から目を効果的に保護することができた。また、眼鏡のテンプルを折り畳む際に一緒に折れ曲がり眼鏡ケースに収納する事もでき、さらに、上記テンプルを戻した際には元の形状に復元した。
【符号の説明】
【００４７】
１：プラスチックフィルム片、２：両面粘着テープ、３：切り込み部
４：眼鏡フレーム、５：テンプル、６：眼鏡レンズ、７：パッド
８：眼鏡フレームとテンプルの接続部分、９：ブリッジ
【図１】
2010262110.tif 000003
【図２】
2010262110.tif 000004
【図３】
2010262110.tif 000005
【図４】
2010262110.tif 000006
【図５】
2010262110.tif 000007